(57)【要約】【課題】共用スペースごとに、共用スペースで利用可能な無線ＬＡＮのアクセスポイントの利用を適切な利用者に制限する。【解決手段】無線制御システム１００は、共用スペースで利用可能な無線ＬＡＮアクセスポイント７０と、共用スペースの予約情報に基づいて無線ＬＡＮアクセスポイント７０に設定変更の情報を通知するコントローラ５０と、を備えており、コントローラ５０は、利用者による共用スペースの予約情報を取得するとともに、予約情報で特定される共用スペースで利用可能な無線ＬＡＮアクセスポイント７０のＳＳＩＤを生成する。また、無線ＬＡＮアクセスポイント７０は、予約情報で特定される時間に、コントローラが生成したＳＳＩＤを含む電波を送出する。【選択図】図４
2020137004.tif 000002
【特許請求の範囲】
【請求項１】
共用スペースで利用可能な無線ＬＡＮ（Local Area Network）のアクセスポイントと、前記共用スペースの予約情報に基づいて前記アクセスポイントに制御情報を通知する制御装置と、を備える無線制御システムであって、
利用者による前記共用スペースの予約情報を取得する取得部と、
前記予約情報で特定される共用スペースで利用可能なアクセスポイントを識別するための識別情報を特定する特定部と、を有し、
前記予約情報で特定される共用スペースで利用可能なアクセスポイントは、前記予約情報で特定される時間に、前記特定部が特定した前記識別情報を送信する、ことを特徴とする無線制御システム。
【請求項２】
前記利用者が利用する端末と接続され、前記端末からの前記予約情報の入力を受け付ける予約受付装置を更に備え、
前記予約受付装置は、前記特定部が特定した前記識別情報及び該識別情報に対応するパスワードを前記端末に通知する、ことを特徴とする請求項１に記載の無線制御システム。
【請求項３】
前記制御装置は、前記予約情報で特定される共用スペースで利用可能なアクセスポイントに対して、前記予約情報で特定される時間に、前記特定部が特定した前記識別情報を送信させるための指示情報を通知する、ことを特徴とする請求項１又は２に記載の無線制御システム。
【請求項４】
前記制御装置は、前記予約情報で特定される共用スペースで利用可能なアクセスポイントに対して、前記予約情報で特定される時間に、前記特定部が特定した前記識別情報を送信すべきことを示すスケジュール情報を通知し、
前記アクセスポイントは、前記スケジュール情報に基づいて、前記特定部が特定した前記識別情報を送信する、ことを特徴とする請求項１又は２に記載の無線制御システム。
【請求項５】
前記アクセスポイントは、前記利用者が利用する端末から前記識別情報を用いた接続要求があり、接続要求があった時刻が前記予約情報で特定される時間内である場合に、前記特定部が特定した前記識別情報を送信する、ことを特徴とする請求項４に記載の無線制御システム。
【請求項６】
利用者による共用スペースの予約情報を取得する取得部と、
前記予約情報で特定される前記共用スペースで利用可能な無線ＬＡＮ（Local Area Network）のアクセスポイントを識別するための識別情報を特定する特定部と、
前記予約情報で特定されるアクセスポイントに対して、前記予約情報で特定される時間に、前記特定部が特定した前記識別情報を送信させるための指示情報を通知する通知部と、を備える制御装置。
【請求項７】
利用者による共用スペースの予約情報を取得する取得部と、
前記予約情報で特定される前記共用スペースで利用可能な無線ＬＡＮ（Local Area Network）のアクセスポイントを識別するための識別情報を特定する特定部と、
前記予約情報で特定されるアクセスポイントに対して、前記予約情報で特定される時間に、前記特定部が特定した前記識別情報を送信すべきことを示すスケジュール情報を通知する通知部と、を備える制御装置。
【請求項８】
利用者による共用スペースの予約情報を取得し、
前記予約情報で特定される前記共用スペースで利用可能な無線ＬＡＮ（Local Area Network）のアクセスポイントを識別するための識別情報を特定し、
前記予約情報で特定されるアクセスポイントに対して、前記予約情報で特定される時間に、特定した前記識別情報を送信させるための指示情報を通知する、処理をコンピュータが実行することを特徴とする無線制御方法。
【請求項９】
利用者による共用スペースの予約情報を取得し、
前記予約情報で特定される前記共用スペースで利用可能な無線ＬＡＮ（Local Area Network）のアクセスポイントを識別するための識別情報を特定し、
前記予約情報で特定されるアクセスポイントに対して、前記予約情報で特定される時間に、特定した前記識別情報を送信すべきことを示すスケジュール情報を通知する、処理をコンピュータが実行することを特徴とする無線制御方法。
【発明の詳細な説明】
【技術分野】
【０００１】
本発明は、無線制御システム、制御装置及び無線制御方法に関する。
【背景技術】
【０００２】
従来、無線ＬＡＮ（Local Area Network）アクセスポイントでは、予め無線ＬＡＮアクセスポイントの識別情報であるＳＳＩＤ（Service Set IDentifier）と、パスワードとが設定されており、ＳＳＩＤを含む電波を常時送出している。この場合、ＳＳＩＤとパスワードを知っている利用者であれば、いつでも無線ＬＡＮアクセスポイントに接続することが可能である。
【０００３】
これに対し、一時的に会社に来訪する来訪者に対して、無線子機による通信網の使用を時限的に許可するために、有効期限の限定されたパスワードを生成し、来訪者に発行する技術が知られている（例えば特許文献１等参照）。また、一時的にアクセスポイントに接続したい無線ＬＡＮ端末を無線ＬＡＮアクセスポイント装置に一時的に接続可能にする技術が知られている（例えば特許文献２等参照）。
【先行技術文献】
【特許文献】
【０００４】
【特許文献１】特開２０１３−１７５９８９号公報
【特許文献２】特開２０１５−２１１２９８号公報
【発明の概要】
【発明が解決しようとする課題】
【０００５】
近年、レンタルオフィスなどの共用スペースにおいて、共用スペースそれぞれに別々の無線ＬＡＮサービスを提供することがある。共用スペースを利用する利用者は時々刻々と変化するため、無線ＬＡＮアクセスポイントのＳＳＩＤ及びパスワードは、共用スペース内に掲示するなどして利用者に通知することが多い。これにより、共用スペースの利用者に限定して無線ＬＡＮサービスを利用させようとしているが、共用スペースを以前に利用し、ＳＳＩＤ及びパスワードを知っている人であれば、共用スペースに近づくことで無線ＬＡＮサービスを利用できることになる。
【０００６】
１つの側面では、本発明は、共用スペースごとに、共用スペースで利用可能な無線ＬＡＮのアクセスポイントの利用を適切な利用者に制限することが可能な無線制御システム、制御装置及び無線制御方法を提供することを目的とする。
【課題を解決するための手段】
【０００７】
一つの態様では、無線制御システムは、共用スペースで利用可能な無線ＬＡＮ（Local Area Network）のアクセスポイントと、前記共用スペースの予約情報に基づいて前記アクセスポイントに制御情報を通知する制御装置と、を備える無線制御システムであって、利用者による前記共用スペースの予約情報を取得する取得部と、前記予約情報で特定される共用スペースで利用可能なアクセスポイントを識別するための識別情報を特定する特定部と、を有し、前記予約情報で特定される共用スペースで利用可能なアクセスポイントは、前記予約情報で特定される時間に、前記特定部が特定した前記識別情報を送信する。
【発明の効果】
【０００８】
共用スペースごとに、共用スペースで利用可能な無線ＬＡＮのアクセスポイントの利用を適切な利用者に制限することができる。
【図面の簡単な説明】
【０００９】
【図１】第１の実施形態に係る無線制御システムの構成を概略的に示す図である。
【図２】図２（ａ）は、図１の利用者端末のハードウェア構成を示す図であり、図２（ｂ）は、図１の予約管理サーバのハードウェア構成を示す図である。
【図３】図３（ａ）は、図１のコントローラのハードウェア構成を示す図であり、図３（ｂ）は、図１の無線ＬＡＮアクセスポイントのハードウェア構成を示す図である。
【図４】第１の実施形態に係る無線制御システムの処理の概要を示す図である。
【図５】予約管理サーバ及びコントローラの機能ブロック図である。
【図６】図６（ａ）は、利用者ＤＢのデータ構造の一例を示す図であり、図６（ｂ）は、場所ＤＢのデータ構造の一例を示す図であり、図６（ｃ）は、予約管理サーバが有する予約ＤＢのデータ構造の一例を示す図である。
【図７】図７（ａ）は、コントローラが有する予約ＤＢのデータ構造の一例を示す図であり、図７（ｂ）は、場所−装置ＤＢのデータ構造の一例を示す図であり、図７（ｃ）は、アクセスポイントＤＢのデータ構造の一例を示す図である。
【図８】予約管理サーバにより実行される予約登録処理を示すフローチャートである。
【図９】図９（ａ）、図９（ｂ）は、利用者端末の表示部に表示される画面の例を示す図（その１）である。
【図１０】図１０（ａ）、図１０（ｂ）は、利用者端末の表示部に表示される画面の例を示す図（その２）である。
【図１１】図１１（ａ）、図１１（ｂ）は、予約管理サーバが有する予約ＤＢにデータが登録される処理を説明するための図である。
【図１２】図８のステップＳ１８の詳細処理を示すフローチャートである。
【図１３】コントローラの予約情報受付部により実行される予約情報受付処理を示すフローチャートである。
【図１４】コントローラのアクセスポイント制御部により実行される制御処理を示すフローチャートである。
【図１５】第２の実施形態に係る無線制御システムの処理の概要を示す図である。
【図１６】図１５の予約管理サーバ、コントローラ及び無線ＬＡＮアクセスポイントの機能ブロック図である。
【図１７】図１７（ａ）は、図１６のコントローラが有する予約ＤＢのデータ構造を示す図であり、図１７（ｂ）は、図１６の無線ＬＡＮアクセスポイントが有する有効期間ＤＢのデータ構造を示す図である。
【図１８】コントローラのアクセスポイント制御部により実行される情報送信処理を示すフローチャートである。
【図１９】無線ＬＡＮアクセスポイントの登録部により実行される登録処理を示すフローチャートである。
【図２０】図２０（ａ）、図２０（ｂ）は、無線ＬＡＮアクセスポイントの制御部により実行される接続制御処理を示すフローチャートである。
【図２１】第３の実施形態に係る無線制御システムの処理の概要を示す図である。
【図２２】第３の実施形態に係る予約管理サーバが有する利用者ＤＢのデータ構造を示す図である。
【図２３】第３の実施形態に係る予約管理サーバの予約登録部が実行する利用者登録処理を示すフローチャートである。
【図２４】図２４（ａ）は、第３の実施形態に係る予約管理サーバの予約登録部が実行する予約登録処理を示すフローチャートであり、図２４（ｂ）は、図２４（ａ）のステップＳ２２８の詳細処理を示すフローチャートである。
【発明を実施するための形態】
【００１０】
《第１の実施形態》
以下、無線制御システムの第１の実施形態について、図１〜図１４に基づいて詳細に説明する。図１には、第１の実施形態に係る無線制御システム１００の構成が概略的に示されている。
【００１１】
無線制御システム１００は、図１に示すように、利用者端末１０と、予約受付装置としての予約管理サーバ２０と、制御装置としてのコントローラ５０と、無線ＬＡＮアクセスポイント７０と、を備える。コントローラ５０と、無線ＬＡＮアクセスポイント７０は、広域ネットワーク（ＷＡＮ（Wide Area Network））に接続されており、ＷＡＮは、インターネットに接続されている。また、インターネットには、利用者端末１０や予約管理サーバ２０が接続されている。
【００１２】
利用者端末１０は、例えばノート型のＰＣ（Personal Computer）や、スマートフォン、タブレット型端末などの持ち運び可能な端末である。利用者は、利用者端末１０をインターネットに接続した状態で、貸し会議室やレンタルオフィスなどの共用スペースの利用予約を行ったり、共用スペース内で無線ＬＡＮに接続した状態で、業務等を行ったりする。
【００１３】
図２（ａ）には、利用者端末１０のハードウェア構成が示されている。図２（ａ）に示すように、利用者端末１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークＩ／Ｆ（interface）９７、無線Ｉ／Ｆ９８、表示部９３、入力部９５、及び可搬型記憶媒体９１に格納されたデータやプログラムを読み出し可能な可搬型記憶媒体用ドライブ９９等を備えている。これら利用者端末１０の構成各部は、バス９８に接続されている。利用者端末１０は、ネットワークＩ／Ｆ９７を介してインターネットに接続され、無線Ｉ／Ｆ９８を介して無線ＬＡＮアクセスポイント７０に接続される。
【００１４】
予約管理サーバ２０は、共用スペースの利用予約に関する情報を管理する装置である。予約管理サーバ２０は、例えば、利用者端末１０からの求めに応じて予約画面を送信し、予約画面に入力された予約情報を取得して、管理する。また、予約管理サーバ２０は、取得した予約情報をコントローラ５０に通知するとともに、コントローラ５０から得た情報（予約情報に対して割り当てられたＳＳＩＤやパスワード）を利用者端末１０に通知する。
【００１５】
図２（ｂ）には、予約管理サーバ２０のハードウェア構成が示されている。予約管理サーバ２０は、図２（ｂ）に示すように、ＣＰＵ１９０、ＲＯＭ１９２、ＲＡＭ１９４、記憶部（ＨＤＤ）１９６、ネットワークＩ／Ｆ１９７、及び可搬型記憶媒体用ドライブ１９９等を備えている。これら予約管理サーバ２０の構成各部は、バス１９８に接続されている。予約管理サーバ２０では、ＲＯＭ１９２あるいはＨＤＤ１９６に格納されているプログラム、或いは可搬型記憶媒体用ドライブ１９９が可搬型記憶媒体１９１から読み取ったプログラムをＣＰＵ１９０が実行することにより、図５に示す各部の機能が実現される。なお、図５には、予約管理サーバ２０のＨＤＤ１９６等に格納されている利用者ＤＢ（database）３２、場所ＤＢ３４、及び予約ＤＢ３６も図示されている。なお、図５の各部の機能は、例えば、ＡＳＩＣ（Application Specific Integrated Circuit）やＦＰＧＡ（Field Programmable Gate Array）等の集積回路により実現されてもよい。
【００１６】
コントローラ５０は、無線ＬＡＮアクセスポイント７０の動作を制御する装置である。具体的には、コントローラ５０は、予約管理サーバ２０から、共用スペースの予約情報を受け付けると、予約情報に対してＳＳＩＤ（ワンタイムＳＳＩＤ）とパスワード（ワンタイムパスワード）を割り当て、予約管理サーバ２０に返送する。また、コントローラ５０は、予約情報に基づいてＳＳＩＤとパスワードを有効化又は無効化し、その情報（設定変更の情報）を予約された共用スペースで利用可能な無線ＬＡＮアクセスポイント７０に制御情報として送信することで、無線ＬＡＮアクセスポイント７０の動作を制御する。なお、「共用スペースで利用可能な無線ＬＡＮアクセスポイント」は、必ずしも共用スペースの内部に設置されていなくてもよい。また、複数の共用スペースで１つの無線ＬＡＮアクセスポイントを利用可能であってもよい。
【００１７】
図３（ａ）には、コントローラ５０のハードウェア構成が示されている。コントローラ５０は、図３（ａ）に示すように、ＣＰＵ２９０、ＲＯＭ２９２、ＲＡＭ２９４、記憶部（ＨＤＤ）２９６、ＷＡＮ Ｉ／Ｆ２８９及び可搬型記憶媒体用ドライブ２９９等を備えている。これらコントローラ５０の構成各部は、バス２９８に接続されている。コントローラ５０では、ＲＯＭ２９２あるいはＨＤＤ２９６に格納されているプログラム、或いは可搬型記憶媒体用ドライブ２９９が可搬型記憶媒体２９１から読み取ったプログラムをＣＰＵ２９０が実行することにより、図５に示す各部の機能が実現される。なお、図５には、コントローラ５０のＨＤＤ２９６等に格納されている予約ＤＢ６２、場所−装置ＤＢ６４、及びアクセスポイントＤＢ６６も図示されている。なお、図５の各部の機能は、例えば、ＡＳＩＣやＦＰＧＡ等の集積回路により実現されてもよい。
【００１８】
無線ＬＡＮアクセスポイント７０は、ＩＥＥＥ８０２．１１シリーズ（例えば、ＩＥＥＥ８０２．１１ｂ、ＩＥＥＥ８０２．１１ａ、ＩＥＥＥ８０２．１１ｇ、ＩＥＥＥ８０２．１１ｎ、ＩＥＥＥ８０２．１１ａｃ等）に準拠した無線接続が可能な無線ＬＡＮアクセスポイントである。無線ＬＡＮアクセスポイント７０は、ＷｉＦｉ（登録商標）認証を受けているものとする。無線ＬＡＮアクセスポイント７０は、コントローラ５０から送信されてくる設定変更の情報を参照し、設定変更の情報に含まれるＳＳＩＤを自己の識別情報とし、当該ＳＳＩＤを含む電波の送信を開始したり、停止したりする。また、無線ＬＡＮアクセスポイント７０は、利用者端末１０から接続要求があった場合に、利用者端末１０上で利用者が入力したパスワードを用いた認証を行い、認証に成功した場合に、無線ＬＡＮへの利用者端末１０の接続を許可する。
【００１９】
図３（ｂ）には、無線ＬＡＮアクセスポイント７０のハードウェア構成が示されている。無線ＬＡＮアクセスポイント７０は、図３（ｂ）に示すように、ＣＰＵ３９０、ＲＯＭ３９２、ＲＡＭ３９４、フラッシュメモリ３９６、ＷＡＮ Ｉ／Ｆ３８９、無線Ｉ／Ｆ３９７等を備えている。これら無線ＬＡＮアクセスポイント７０の構成各部は、バス３９８に接続されている。
【００２０】
（無線制御システム１００の処理の概要）
無線制御システム１００においては、図４に示すような処理を実行する。
【００２１】
（１）  利用者が利用者端末１０に共用スペースの予約情報を入力すると、予約管理サーバ２０が、共用スペースの予約情報を登録する。
（２）  次いで、予約管理サーバ２０は、登録した予約情報をコントローラ５０に通知する。
（３）  コントローラ５０は、予約情報に対してＳＳＩＤ（ワンタイムＳＳＩＤ）とパスワード（ワンタイムパスワード）を新たに生成して割り当て、予約管理サーバ２０に返送する。
（４）  予約管理サーバ２０は、コントローラ５０から取得したＳＳＩＤとパスワードを予約に用いられた利用者端末１０に通知する。
（５）  その後、コントローラ５０は、予約開始日時になると、予約情報に対して割り当てられたＳＳＩＤとパスワードを有効化し、予約された共用スペースで利用可能な無線ＬＡＮアクセスポイント７０に対して設定変更の情報を通知する。
（６）  ＳＳＩＤとパスワードが有効化された旨の設定変更の情報を受け取った無線ＬＡＮアクセスポイント７０は、有効化されたＳＳＩＤを含む電波の送出を開始する。
（７）  無線ＬＡＮアクセスポイント７０は、上記電波を送出している間に利用者端末１０から接続要求があると、利用者が入力したパスワードの認証を実行し、認証に成功した場合に、利用者端末１０を無線ＬＡＮに接続する。
（８）  その後、予約終了日時になると、コントローラ５０は、ＳＳＩＤとパスワードを無効化し、無線ＬＡＮアクセスポイント７０に対して設定変更の情報を通知する。これにより、無線ＬＡＮアクセスポイント７０は、ＳＳＩＤを含む電波の送出を終了し、利用者端末１０との無線ＬＡＮ接続を終了（切断）する。
【００２２】
（予約管理サーバ２０及びコントローラ５０の機能について）
次に、図５に基づいて、予約管理サーバ２０とコントローラ５０の機能について、詳細に説明する。
【００２３】
（予約管理サーバ２０）
予約管理サーバ２０は、ＣＰＵ１９０がプログラムを実行することにより、図５に示すように、予約登録部２２及びコントローラ連携部２４として機能する。
【００２４】
予約登録部２２は、利用者端末１０からログイン要求があった場合に、利用者ＤＢ３２を参照して、ログインＩＤとログインＰＷを用いた認証を行う。ここで、利用者ＤＢ３２は、予め登録されている利用者の情報を格納するデータベースであり、図６（ａ）に示すように、「利用者番号」、「氏名」、「ログインＩＤ」、「ログインＰＷ」等のフィールドを有する。「利用者番号」のフィールドには、利用者の識別番号が格納され、「氏名」のフィールドには、利用者の氏名の情報が格納される。また、「ログインＩＤ」、「ログインＰＷ」のフィールドには、利用者がログインに用いるＩＤとパスワードが格納される。なお、利用者ＤＢ３２には、その他の利用者の情報（住所や電話番号など）が格納されていてもよい。
【００２５】
また、予約登録部２２は、ログイン後の利用者端末１０から共用スペースの利用予約の要求があると、場所ＤＢ３４を用いて予約画面を生成し、利用者端末１０に送信する。ここで、場所ＤＢ３４は、共用スペースの情報を管理するデータベースであり、図６（ｂ）に示すように、「場所番号」、「名称」、「開始時刻」、「終了時刻」等のフィールドを有する。「場所番号」のフィールドには、共用スペースの識別番号が格納され、「名称」のフィールドには、共用スペースの名称（例えば、ビル名やルーム名）が格納される。また、「開始時刻」及び「終了時刻」のフィールドには、共用スペースの営業開始時刻及び営業終了時刻が格納される。なお、場所ＤＢ３４には、予約画面を生成するために必要な共用スペースのその他の情報（例えば、共用スペースの位置情報や、共用スペースの種別、収容人数、共用スペースの設備や備品の情報など）が格納されているものとする。
【００２６】
また、予約登録部２２は、予約画面においてユーザが予約情報を入力すると、入力された予約情報を予約ＤＢ３６に登録する。ここで、予約ＤＢ３６は、共用スペースの予約情報を格納するデータベースであり、「予約番号」、「利用者番号」、「場所番号」、「予約開始日時」、「予約終了日時」、「ＳＳＩＤ」、「ＰＷ」等のフィールドを有する。「予約番号」のフィールドには、予約情報の識別番号が格納され、「利用者番号」のフィールドには、予約を行った利用者の利用者番号が格納される。また、「場所番号」のフィールドには、予約された共用スペースの場所番号が格納され、「予約開始日時」及び「予約終了日時」のフィールドには、共用スペースの予約時間の始期と終期を示す情報が格納される。また、「ＳＳＩＤ」及び「ＰＷ」のフィールドには、コントローラ５０が予約情報に対して割り当てたＳＳＩＤ（ワンタイムＳＳＩＤ）とパスワード（ワンタイムパスワード）が格納される。なお、予約情報を登録する段階では、ＳＳＩＤとパスワードのフィールドには何も格納されないものとする。なお、予約ＤＢ３６には、その他の予約に関する情報（例えば、予約人数など）が格納されてもよい。
【００２７】
図５に戻り、コントローラ連携部２４は、予約登録部２２が予約ＤＢ３６に新たな予約情報を登録した場合に、コントローラ５０の予約情報受付部５２に対して、新たに登録された予約情報を通知する。また、コントローラ連携部２４は、予約情報受付部５２から予約情報に対応するＳＳＩＤ（ワンタイムＳＳＩＤ）とパスワード（ワンタイムパスワード）を受信すると、ＳＳＩＤとパスワードを予約ＤＢ３６に格納する。このように、予約ＤＢ３６にＳＳＩＤとパスワードが格納されると、予約登録部２２は、格納されたＳＳＩＤとパスワードを利用者端末１０に通知する。
【００２８】
（コントローラ５０）
コントローラ５０は、ＣＰＵ２９０がプログラムを実行することにより、図５に示すように、予約情報受付部５２及びアクセスポイント制御部５４として機能する。
【００２９】
予約情報受付部５２は、予約管理サーバ２０のコントローラ連携部２４から予約情報を受信すると、予約情報に対応付けてＳＳＩＤ（ワンタイムＳＳＩＤ）とパスワード（ワンタイムパスワード）を生成し（割り当て）、生成したＳＳＩＤとパスワードを予約管理サーバ２０のコントローラ連携部２４に通知する。また、予約情報受付部５２は、生成したＳＳＩＤとパスワードを予約情報とともに予約ＤＢ６２に格納する。なお、予約ＤＢ６２は、図７（ａ）に示すように、予約管理サーバ２０が有する予約ＤＢ３６と同様のデータ構造を有している。
【００３０】
アクセスポイント制御部５４は、予約ＤＢ６２において予約開始日時になった共用スペースがあった場合に、対応するＳＳＩＤとパスワードを予約ＤＢ６２から読み出す。また、アクセスポイント制御部５４は、場所−装置ＤＢ６４を参照して、予約開始日時になった共用スペースで利用可能な無線ＬＡＮアクセスポイント７０を特定する。更に、アクセスポイント制御部５４は、アクセスポイントＤＢ６６を参照して、特定した無線ＬＡＮアクセスポイント７０のコマンドカタログ（コマンドリスト）を取得する。そして、アクセスポイント制御部５４は、読み出したＳＳＩＤとパスワードを有効化した旨を示す情報（設定変更の情報）を生成し、取得したコマンドカタログに従って、設定変更の情報を無線ＬＡＮアクセスポイント７０に送信する。
【００３１】
一方、予約ＤＢ６２において予約終了日時になった共用スペースがあった場合には、アクセスポイント制御部５４は、対応するＳＳＩＤとパスワードを無効化した旨を示す情報（設定変更の情報）を生成し、コマンドカタログに従って、無線ＬＡＮアクセスポイント７０に送信する。
【００３２】
ここで、場所−装置ＤＢ６４は、各共用スペースで利用可能な無線ＬＡＮアクセスポイント７０の情報を管理するデータベースであり、図７（ｂ）に示すように、「場所番号」と「装置ＩＤ」のフィールドを有している。「装置ＩＤ」のフィールドには、無線ＬＡＮアクセスポイント７０の識別情報が格納されている。なお、場所−装置ＤＢ６４には、その他の情報が格納されていてもよい。アクセスポイントＤＢ６６は、各無線ＬＡＮアクセスポイント７０の設定コマンドカタログを管理するデータベースであり、図７（ｃ）に示すように「装置ＩＤ」と「コマンドカタログ」のフィールドを有している。なお、アクセスポイントＤＢ６６には、その他の無線ＬＡＮアクセスポイントに関する情報が格納されていてもよい。
【００３３】
（予約管理サーバ２０とコントローラ５０の処理について）
次に、予約管理サーバ２０とコントローラ５０の処理について、フローチャートに沿って、その他図面を適宜参照しつつ詳細に説明する。
【００３４】
（予約登録処理）
以下、図８のフローチャートに沿って、予約管理サーバ２０による予約登録処理（図４の（１）〜（４）の予約管理サーバ２０の処理）について、説明する。
【００３５】
図８の処理では、まずステップＳ１０において、予約登録部２２が、利用者端末１０からのログイン要求に応じて、利用者ログイン処理を実行する。この利用者ログイン処理においては、予約登録部２２が、利用者端末１０の表示部９３上に表示されたログイン画面において利用者が入力したログインＩＤとログインパスワードを取得し、利用者ＤＢ３２を参照して認証処理を実行する。予約登録部２２は、認証結果を利用者端末１０に通知する。なお、予約登録部２２は、認証に成功した場合にステップＳ１２に移行するが、認証に失敗した場合には、図８の処理が強制終了となる。
【００３６】
ステップＳ１２に移行すると、予約登録部２２は、共用スペースを検索して表示する。例えば、利用者が利用者端末１０の表示部９３上において、図９（ａ）に示すように地図を表示したとする。この場合、予約登録部２２は、表示部９３に表示されている範囲を示す情報を取得し、当該範囲に含まれる共用スペースを場所ＤＢ３４から検索して、検索結果を地図上に表示する。図９（ａ）の例では、符号Ａ〜Ｅで示す共用スペースが検索されたものとする。
【００３７】
次いで、ステップＳ１４では、予約登録部２２が、利用者によって指定された共用スペース、開始終了日時を取得する。例えば、利用者が図９（ａ）の画面上において、共用スペースの１つ（例えば符号Ｃで示すＰＱＲ駅ビル）を選択したとする。この場合、予約登録部２２は、図９（ｂ）に示すようなルーム選択画面を場所ＤＢ３４に基づいて生成し、利用者端末１０に送信する。そして、利用者が図９（ｂ）のルーム選択画面において、ルームの１つ（例えばルームＡ）の予約ボタンを押した場合に、予約登録部２２は、図１０（ａ）に示すような予約日時設定画面を生成し、利用者端末１０に送信する。その後、利用者が図１０（ａ）の予約日時設定画面上において、予約日時を入力し、予約ボタンを押した場合に、予約登録部２２は、予約情報として、選択された共用スペース（ＰＱＲ駅ビルのルームＡ）の情報と、入力された開始終了日時の情報を取得する。
【００３８】
図８に戻り、次のステップＳ１６では、予約登録部２２が、ステップＳ１４において取得した情報を予約ＤＢ３６に登録する。例えば、利用者である富士太郎が、１１月２日１６時から１８時までＰＱＲビルのルームＡの利用予約を行った場合には、図１１（ａ）に示すように予約ＤＢ３６に予約情報が登録される。
【００３９】
次いで、ステップＳ１８では、コントローラ連携部２４が、コントローラ連携処理を実行する。このステップＳ１８においては、コントローラ連携部２４が、図１２のフローチャートに沿った処理を実行する。
【００４０】
図１２の処理では、まず、ステップＳ３０において、コントローラ連携部２４が、予約情報をコントローラ５０に送信する。すなわち、コントローラ連携部２４は、ステップＳ１６において予約ＤＢ３６に登録された情報（図１１（ａ）の情報）をコントローラ５０の予約情報受付部５２に送信する。
【００４１】
次いで、ステップＳ３２では、コントローラ連携部２４が、送信できたか否かを判断する。このステップＳ３２の判断が否定された場合（送信できなかった場合）には、ステップＳ３０に戻るが、肯定された場合には、ステップＳ３４に移行する。なお、ステップＳ３０、Ｓ３２（否定）が所定回数以上繰り返された場合には、エラーが発生したとして、図１２（図８）の処理を強制終了してもよい。
【００４２】
ステップＳ３２の判断が肯定されてステップＳ３４に移行すると、コントローラ連携部２４は、ステップＳ３０において送信した予約情報に対応するＳＳＩＤとパスワードをコントローラ５０の予約情報受付部５２から受信する。
【００４３】
次いで、ステップＳ３６では、コントローラ連携部２４が、受信できたか否かを判断する。このステップＳ３６の判断が否定された場合（受信できなかった場合）には、ステップＳ３４に戻るが、肯定された場合には、ステップＳ３８に移行する。なお、ステップＳ３４、Ｓ３６（否定）が所定回数以上繰り返された場合には、エラーが発生したとして、図１２（図８）の処理を強制終了してもよい。
【００４４】
ステップＳ３６の判断が肯定されてステップＳ３８に移行すると、コントローラ連携部２４は、ＳＳＩＤとパスワードを予約ＤＢ３６に登録する。例えば、受信したＳＳＩＤが「ＡＡＡＡＡ」でパスワードが「１２３４５６７８」であった場合には、コントローラ連携部２４は、図１１（ｂ）に示すように、予約ＤＢ３６にＳＳＩＤとパスワードを予約情報と対応付けて登録する。
【００４５】
以上のようにして、図１２の処理が終了すると、図８のステップＳ２０に移行する。
【００４６】
図８のステップＳ２０に移行すると、予約登録部２２は、ステップＳ３８において予約ＤＢ３６に登録されたＳＳＩＤとパスワードを利用者端末１０に通知する。この通知により、利用者端末１０には、図１０（ｂ）に示すような画面が表示されることになる。図１０（ｂ）の画面には、予約された共用スペースの情報及び予約日時が表示されるとともに、無線ＬＡＮ設定としてＳＳＩＤとパスワードが表示される。
【００４７】
次いで、ステップＳ２２では、予約登録部２２が、利用者端末１０からログアウト要求があるまで待機する。そして、利用者端末１０からログアウト要求があると、予約登録部２２は、利用者端末１０のログアウト処理を行ったうえで、図８の全処理を終了する。
【００４８】
（予約情報受付処理）
次に、コントローラ５０の予約情報受付部５２による予約情報受付処理（図４の（２）、（３）のコントローラ５０の処理）について、図１３のフローチャートに沿って説明する。なお、図１３の処理は、図８（及び図１２）の処理と並行して実行される処理である。
【００４９】
図１３の処理では、まずステップＳ５０において、予約情報受付部５２が、予約情報を受信するまで待機する。すなわち、コントローラ連携部２４が予約情報をコントローラ５０に送信した段階（図１２のステップＳ３２が肯定された段階）で、予約情報受付部５２は、ステップＳ５２に移行する。
【００５０】
ステップＳ５２に移行すると、予約情報受付部５２は、ＳＳＩＤ（ワンタイムＳＳＩＤ）とパスワード（ワンタイムパスワード）を新たに生成する。
【００５１】
次いで、ステップＳ５４では、予約情報受付部５２が、生成したＳＳＩＤとパスワードを予約管理サーバ２０（コントローラ連携部２４）に送信する。
【００５２】
次いで、ステップＳ５６では、予約情報受付部５２が、送信できたか否かを判断する。このステップＳ５６の判断が否定された場合には、ステップＳ５４に戻るが、肯定された場合には、ステップＳ５８に移行する。なお、ステップＳ５４、Ｓ５６（否定）が所定回数以上繰り返された場合には、エラーが発生したとして、図１３の処理を強制終了してもよい。
【００５３】
ステップＳ５６の判断が肯定されてステップＳ５８に移行すると、予約情報受付部５２は、ステップＳ５０で受信した予約情報と、ステップＳ５２で生成したＳＳＩＤ及びパスワードとを予約ＤＢ６２に格納する。
【００５４】
以上により、図１３の全処理が終了する。なお、図１３の処理は、繰り返し実行される。
【００５５】
（制御処理）
次に、コントローラ５０のアクセスポイント制御部５４による無線ＬＡＮアクセスポイント７０の制御処理（図４の（５）、（８）の処理）について、図１４のフローチャートに沿って説明する。
【００５６】
図１４の処理において、ステップＳ７０では、アクセスポイント制御部５４が、所定時間経過するまで待機する。なお、所定時間とは、図１０（ａ）の画面において開始時刻及び終了時刻を設定できる時間間隔と同一であるものとする。例えば、開始時刻及び終了時刻を毎時０分と３０分に設定できる場合には、所定時間は３０分であり、毎時０分と３０分にステップＳ７０の判断が肯定されるものとする。また、開始時刻及び終了時刻を１０分間隔で設定できる場合には、所定時間は１０分であり、毎時０分、１０分、２０分、３０分、４０分、５０分にステップＳ７０の判断が肯定されるものとする。ただし、これに限らず、所定時間は、開始時刻及び終了時刻を設定できる時間間隔よりも短くてもよい。
【００５７】
所定時間が経過し、ステップＳ７２に移行すると、アクセスポイント制御部５４は、予約ＤＢ６２を参照して、現在の時刻と予約開始時刻が一致している予約情報があるか否かを判断する。このステップＳ７２の判断が肯定された場合には、ステップＳ７４に移行し、アクセスポイント制御部５４は、当該予約情報に対応するＳＳＩＤとパスワードを有効化し、ステップＳ７６に移行する。例えば、現在日時が１１月２日１６時である場合には、図７（ａ）の予約番号「１」、「２」の予約開始日時と一致しているため、ＳＳＩＤ「ＡＡＡＡＡ」、パスワード「１２３４５６７８」と、ＳＳＩＤ「ＢＢＢＢＢ」、パスワード「８７６５４３２１」を有効化する。一方、ステップＳ７２の判断が否定された場合には、アクセスポイント制御部５４は、ステップＳ７４を経ずにステップＳ７６に移行する。
【００５８】
ステップＳ７６に移行すると、アクセスポイント制御部５４は、予約ＤＢ６２を参照して、現在の時刻と予約終了時刻が一致している予約情報があるか否かを判断する。このステップＳ７６の判断が肯定された場合には、ステップＳ７８に移行し、アクセスポイント制御部５４は、当該予約情報に対応するＳＳＩＤとパスワードを無効化し、ステップＳ８０に移行する。例えば、現在日時が１１月２日１８時である場合には、図７（ａ）の予約番号「１」、「２」の予約終了日時と一致しているため、ＳＳＩＤ「ＡＡＡＡＡ」、パスワード「１２３４５６７８」と、ＳＳＩＤ「ＢＢＢＢＢ」、パスワード「８７６５４３２１」を無効化する。一方、ステップＳ７６の判断が否定された場合には、アクセスポイント制御部５４は、ステップＳ７８を経ずにステップＳ８０に移行する。
【００５９】
ステップＳ８０に移行すると、アクセスポイント制御部５４は、有効化／無効化に関する変更があったか否かを判断する。すなわち、ステップＳ８０では、アクセスポイント制御部５４が、ステップＳ７４又はＳ７８を経たか否かを判断する。このステップＳ８０の判断が否定された場合には、アクセスポイント制御部５４は、ステップＳ７０に戻る。
【００６０】
一方、ステップＳ８０の判断が肯定された場合には、ステップＳ８２に移行し、アクセスポイント制御部５４は、無線ＬＡＮアクセスポイント７０に設定変更の情報を通知する。この場合、アクセスポイント制御部５４は、有効化又は無効化したＳＳＩＤ及びパスワードが予約ＤＢ６２において対応付けられている共用スペースの場所番号を特定し、場所−装置ＤＢ６４を参照して、当該場所番号に対応する装置ＩＤを特定する。そして、アクセスポイント制御部５４は、アクセスポイントＤＢ６６を参照して、特定した装置ＩＤに対応するコマンドカタログを取得し、取得したコマンドカタログに従って、ＳＳＩＤとパスワードを有効化又は無効化した旨を示す設定変更の情報を無線ＬＡＮアクセスポイント７０に通知する。この場合、設定変更の情報がＳＳＩＤとパスワードを有効化した旨を示すものであれば、ステップＳ８２の処理は、図４の（５）の処理に相当する。一方、設定変更の情報がＳＳＩＤとパスワードを無効化した旨を示すものであれば、ステップＳ８２の処理は、図４の（８）の処理に相当する。なお、このステップＳ８２において無線ＬＡＮアクセスポイント７０に通知される設定変更の情報は、予約時間内にＳＳＩＤを含む電波を送出させるための指示情報であると言える。
【００６１】
その後は、管理者等からの終了要求があるまで、アクセスポイント制御部５４は、図１４の処理を繰り返し実行する。
【００６２】
ここで、無線ＬＡＮアクセスポイント７０は、ＳＳＩＤ及びパスワードを有効化／無効化した旨の設定変更の情報を受け付けた場合には、有効化されたＳＳＩＤを含む電波の送出を開始したり、無効化されたＳＳＩＤを含む電波の送出を停止したりする。すなわち、無線ＬＡＮアクセスポイント７０は、予約情報で特定される時間（予約開始時刻と予約終了時刻の間の予約時間）に、予約情報受付部５２が生成したＳＳＩＤを含む電波を送出する。これにより、予約時間内においては、共用スペース内に存在する利用者端末１０の表示部９３に表示される無線ＬＡＮアクセスポイントの一覧の中に、有効化されたＳＳＩＤの無線ＬＡＮアクセスポイントが含まれるようになる。この場合、利用者は、利用者端末１０上で、通知されているＳＳＩＤに対応する無線ＬＡＮアクセスポイント７０を選択して、通知されているパスワードを入力すれば、無線ＬＡＮアクセスポイントに接続できるようになっている。このようにすることで、共用スペースを予約している時間内において、予約した利用者（ＳＳＩＤとパスワードが通知されている利用者）のみが、共用スペースに設置された無線ＬＡＮを利用することが可能となる。
【００６３】
これまでの説明からわかるように、本第１の実施形態では、コントローラ５０の予約情報受付部５２により、利用者による共用スペースの予約情報を取得する取得部、及び予約情報で特定される共用スペースで利用可能な無線ＬＡＮアクセスポイントを識別するためのＳＳＩＤを特定する特定部としての機能が実現されている。
【００６４】
以上、詳細に説明したように、本第１の実施形態によると、無線制御システム１００は、共用スペースで利用可能な無線ＬＡＮアクセスポイント７０と、共用スペースの予約情報に基づいて無線ＬＡＮアクセスポイント７０に設定変更の情報を通知するコントローラ５０と、を備えている。このうち、コントローラ５０は、利用者による共用スペースの予約情報を取得するとともに、予約情報で特定される共用スペースで利用可能な無線ＬＡＮアクセスポイント７０のＳＳＩＤを生成する予約情報受付部５２を有している。また、予約情報で特定される共用スペースで利用可能な無線ＬＡＮアクセスポイント７０は、予約情報で特定される時間（予約開始時刻と予約終了時刻の間の予約時間）に、予約情報受付部５２が生成したＳＳＩＤを含む電波を送出する。これにより、予約されている共用スペース内で利用可能な無線ＬＡＮアクセスポイントのＳＳＩＤ（ワンタイムＳＳＩＤ）を予約時間の間のみ有効にすることができる。したがって、予約時間の間のみ有効になるＳＳＩＤ及びこれに対応するパスワードを知らない第三者による無線ＬＡＮ接続を防止することができる。これにより、無線ＬＡＮ接続を適切な利用者に制限することができるため、セキュリティを強化することが可能である。また、無線ＬＡＮアクセスポイント７０は、予約時間の間のみＳＳＩＤを含む電波を送出するため、消費電力の削減を図ることが可能である。
【００６５】
また、本第１の実施形態によると、利用者端末１０と接続され、利用者端末１０からの予約情報の入力を受け付ける予約管理サーバ２０が、コントローラ５０の予約情報受付部５２が生成したＳＳＩＤとパスワードを利用者端末１０に通知する。これにより、予約情報の入力が行われた利用者端末１０に対してＳＳＩＤとパスワードを通知するため、共用スペースを利用する利用者にＳＳＩＤとパスワードを知らせることができる。したがって、適切な利用者による無線ＬＡＮへの接続を許可することが可能となる。
【００６６】
また、本第１の実施形態によると、コントローラ５０は、予約された共用スペースで利用可能な無線ＬＡＮアクセスポイント７０に対して、予約時間内にＳＳＩＤを含む電波を送出させるための指示情報（ＳＳＩＤ及びパスワードの有効化／無効化を示す設定変更の情報）を通知する。これにより、無線ＬＡＮアクセスポイント７０に特別な機能を持たせなくても、予約された共用スペースで利用可能な無線ＬＡＮアクセスポイント７０から予約時間内にＳＳＩＤを含む電波を送出させることができる。
【００６７】
なお、上記第１の実施形態では、図１に示すようなネットワーク構成を例に説明したが、これに限られるものではない。すなわち、利用者端末１０と予約管理サーバ２０との間、予約管理サーバ２０とコントローラ５０との間、及びコントローラ５０と無線ＬＡＮアクセスポイント７０との間において情報のやり取りが可能であれば、ネットワークの構成は図１と異なるものであってもよい。
【００６８】
なお、上記第１の実施形態では、無線制御システム１００が、予約管理サーバ２０とコントローラ５０とを備える場合について説明したが、これに限られるものではない。すなわち、無線制御システム１００は、予約管理サーバ２０とコントローラ５０の機能を統合した装置を有していてもよい。また、コントローラ５０の一部の機能（例えば、ＳＳＩＤとパスワードを生成する機能）を予約管理サーバ２０が有していてもよい。
【００６９】
なお、上記第１の実施形態においては、共用スペースの予約に用い、予約管理サーバ２０からＳＳＩＤ及びパスワードが通知された利用者端末１０から、他の利用者端末１０にＳＳＩＤ及びパスワードを送信し、共有することができる。これにより、共用スペースを同時に利用する他の利用者も無線ＬＡＮに接続することが可能となる。この場合、利用者は、例えば、図１０（ｂ）の画面の「予約を共有」ボタンを選択して、共有先を選択又は入力することで、ＳＳＩＤとパスワードを他の利用者と共有することができる。なお、共用スペースの予約の際に、ＳＳＩＤとパスワードの通知先（メールアドレスなど）を利用者に入力させるようにしてもよい。この場合、予約管理サーバ２０は、入力された通知先に対して、予約情報とともにＳＳＩＤとパスワードを通知する。また、利用者は、通知されたＳＳＩＤ及びパスワードを用いて、予約に用いた利用者端末１０以外の利用者端末を無線ＬＡＮに接続してもよい。
【００７０】
なお、１つの共用スペースを複数の利用者が同時に利用する場合には、各利用者が別々に共用スペースを予約してもよい。この場合、各利用者に対して、別々のＳＳＩＤ、パスワードが割り当てられることになる。
【００７１】
《第２の実施形態》
次に、第２の実施形態について、図１５〜図２０に基づいて詳細に説明する。なお、本第２の実施形態の無線制御システム１００の装置構成は、第１の実施形態と同様であるが、コントローラ５０及び無線ＬＡＮアクセスポイント７０の機能及び実行する処理が第１の実施形態と異なっている。
【００７２】
図１５には、第２の実施形態の処理の概要が示されている。図１５に示すように、本第２の実施形態の無線制御システム１００においては、以下の処理が実行される。なお、（１）〜（４）については、第１の実施形態と同様である。
【００７３】
（５）  コントローラ５０は、ＳＳＩＤ（ワンタイムＳＳＩＤ）及びパスワード（ワンタイムパスワード）と、有効期間（予約情報に含まれる予約開始日時から予約終了日時までの期間）の情報を無線ＬＡＮアクセスポイント７０に通知する。無線ＬＡＮアクセスポイント７０は、通知された情報を登録する。
（６）  共用スペース内に入った利用者は、利用者端末１０から（４）で通知されたＳＳＩＤとパスワードを用いて無線ＬＡＮアクセスポイントに対して接続要求を行う。
（７）  利用者が入力したＳＳＩＤに対応する無線ＬＡＮアクセスポイント７０は、当該ＳＳＩＤの有効期間内であれば、当該ＳＳＩＤとパスワードを有効化する。
（８）  そして、無線ＬＡＮアクセスポイント７０は、利用者が入力したパスワードが有効化したパスワードと一致していれば、利用者端末１０を無線ＬＡＮに接続する。なお、無線ＬＡＮアクセスポイント７０は、有効期間を過ぎた場合には、ＳＳＩＤを含む電波の送出を終了し、利用者端末１０との無線ＬＡＮ接続を終了（切断）する。
【００７４】
（各装置の機能について）
次に、コントローラ５０及び無線ＬＡＮアクセスポイント７０の機能及び処理内容について、図１６に基づいて説明する。なお、予約管理サーバ２０については、第１の実施形態と同様であるため、説明は省略するものとする。
【００７５】
（コントローラ５０）
コントローラ５０は、第１の実施形態と同様、予約情報受付部５２とアクセスポイント制御部５４の機能を有しているが、アクセスポイント制御部５４が実行する処理の内容が第１の実施形態と異なっている。また、コントローラ５０は、第１の実施形態の予約ＤＢ６２に代えて、予約ＤＢ１６２を有している。ここで、予約ＤＢ１６２は、図１７（ａ）に示すように、「利用者番号」のフィールドを有していない点が予約ＤＢ６２とは異なる。ただし、本第２の実施形態の予約ＤＢ１６２は、予約ＤＢ６２と同一のデータ構造を有していてもよい。
【００７６】
アクセスポイント制御部５４は、図１８のフローチャートに沿った処理（情報送信処理）を実行する。なお、図１８の処理は、図１５の（５）の処理に相当する。図１８の処理では、まず、ステップＳ１０４において、アクセスポイント制御部５４は、新規予約があるまで待機する。すなわち、アクセスポイント制御部５４は、予約情報受付部５２が予約管理サーバ２０から予約情報を受信し、予約ＤＢ１６２に予約情報、ＳＳＩＤ及びパスワードを登録するまで待機する。予約ＤＢ１６２に新たな予約情報、ＳＳＩＤ及びパスワードが登録されると、アクセスポイント制御部５４は、ステップＳ１０６に移行する。
【００７７】
ステップＳ１０６に移行すると、アクセスポイント制御部５４は、予約ＤＢ１６２に新たに登録された予約情報に対応する無線ＬＡＮアクセスポイント７０に対して、ＳＳＩＤ、パスワード、及び有効期間の情報を送信する。アクセスポイント制御部５４は、予約情報に対応する無線ＬＡＮアクセスポイント７０に情報を送信する際には、予約ＤＢ１６２、場所−装置ＤＢ６４、アクセスポイントＤＢ６６を参照して、予約情報に対応する装置のコマンドカタログを取得し、取得したコマンドカタログに従って情報を送信する。この場合、アクセスポイント制御部５４は、予約情報で特定される共用スペースで利用可能な無線ＬＡＮアクセスポイント７０に対して、予約情報で特定される時間にＳＳＩＤを送信すべきことを示すスケジュール情報を通知していると言える。
【００７８】
その後は、アクセスポイント制御部５４は、上記処理を繰り返し実行する。
【００７９】
（無線ＬＡＮアクセスポイント７０）
図１６に戻り、無線ＬＡＮアクセスポイント７０は、登録部７２及び制御部７４の機能を有している。
【００８０】
登録部７２は、アクセスポイント制御部５４から受信した情報を有効期間ＤＢ８０に格納（登録）する。ここで、有効期間ＤＢ８０は、図１７（ｂ）に示すようなデータ構造を有している。図１７（ｂ）に示すように、有効期間ＤＢ８０は、「登録番号」、「ＳＳＩＤ」、「ＰＷ」、「開始日時」、「終了日時」のフィールドを有する。「登録番号」のフィールドには、登録した情報の識別番号が格納され、「ＳＳＩＤ」、「ＰＷ」のフィールドには、アクセスポイント制御部５４から受信したＳＳＩＤとパスワードが格納される。また、「開始日時」及び「終了日時」のフィールドには、アクセスポイント制御部５４から受信した有効期間の情報が格納される。
【００８１】
図１９には、登録部７２の処理（登録処理）がフローチャートにて示されている。図１９の処理では、まず、ステップＳ１１０において、登録部７２が、コントローラ５０のアクセスポイント制御部５４から情報を受信するまで待機する。すなわち、登録部７２は、図１８のステップＳ１０６が実行されると、ステップＳ１１２に移行する。
【００８２】
ステップＳ１１２に移行すると、登録部７２は、送信されてきたＳＳＩＤ、パスワード、及び有効期間の情報を有効期間ＤＢ８０に格納（登録）する。
【００８３】
その後は、登録部７２は、上記処理を繰り返し実行する。
【００８４】
図１６に戻り、制御部７４は、有効期間ＤＢ８０を参照して、無線ＬＡＮアクセスポイント７０の動作を制御する（図１５の（６）〜（８）の処理に対応）。具体的には、制御部７４は、図２０（ａ）、図２０（ｂ）の処理を実行する。なお、図２０（ａ）、図２０（ｂ）は、同時並行的に実行される処理であるものとする。
【００８５】
図２０（ａ）では、まず、ステップＳ１２０において、制御部７４が、利用者端末１０から、ＳＳＩＤ及びパスワードを用いた接続要求があるまで待機する。利用者は、利用者端末１０において、「非公開のネットワーク」を検索するための画面に通知されたＳＳＩＤを入力するとともに、通知されたパスワードを入力する。これにより、利用者端末１０は、共用スペースで利用可能な無線ＬＡＮアクセスポイント７０に対して接続要求を行う。
【００８６】
ステップＳ１２０の判断が肯定され、ステップＳ１２２に移行すると、制御部７４は、有効期間ＤＢ８０を参照して、現在時刻が入力されたＳＳＩＤの有効期間内であるか否かを判断する。このステップＳ１２２の判断が否定された場合には、ステップＳ１２０に戻るが、肯定された場合には、ステップＳ１２４に移行する。
【００８７】
ステップＳ１２４に移行すると、制御部７４は、有効化されたパスワードと、利用者が入力したパスワードとを用いて認証を行い、認証に成功した場合に、利用者端末１０の無線ＬＡＮへの接続を許可する。
【００８８】
その後は、ステップＳ１２０に戻り、制御部７４は、上述した処理を繰り返し実行する。
【００８９】
一方、図２０（ｂ）の処理では、まず、ステップＳ１３０において、制御部７４は、所定時間経過するまで待機する。この場合の「所定時間」は、終了時刻を設定できる時間間隔と同一であるものとする。例えば、終了時刻を毎時０分と３０分に設定できる場合には、所定時間は３０分であり、毎時０分と３０分にステップＳ１３０の判断が肯定されるものとする。また、終了時刻を１０分間隔で設定できる場合には、所定時間は１０分であり、毎時０分、１０分、２０分、３０分、４０分、５０分にステップＳ１３０の判断が肯定されるものとする。ただし、これに限らず、所定時間は、終了時刻を設定できる時間間隔よりも短くてもよい。
【００９０】
所定時間が経過すると、ステップＳ１３２に移行し、終了日時になったか否か、すなわち有効期間を過ぎたＳＳＩＤがあるか否かを判断する。このステップＳ１３２の判断が否定された場合には、ステップＳ１３０に戻るが、肯定された場合にはステップＳ１３４に移行する。
【００９１】
ステップＳ１３４に移行すると、予約日時になったＳＳＩＤとパスワードを無効化し、当該ＳＳＩＤを含む電波の送出を終了し、利用者端末１０との無線ＬＡＮ接続を終了（切断）する。
【００９２】
その後は、ステップＳ１３０に戻り、制御部７４は、上述した処理を繰り返し実行する。
【００９３】
以上説明したように、本第２の実施形態によると、予約情報で特定される共用スペースで利用可能な無線ＬＡＮアクセスポイント７０は、予約情報で特定される時間内かつ利用者端末１０から予約情報に対応するＳＳＩＤを用いた接続要求があったときに、予約情報受付部５２が生成したＳＳＩＤを含む電波を送出する。これにより、予約されている共用スペース内で利用可能な無線ＬＡＮアクセスポイントのＳＳＩＤ（ワンタイムＳＳＩＤ）を適切なタイミングで有効にすることができる。したがって、予約時間の間のみ有効になるＳＳＩＤ及びこれに対応するパスワードを知らない第三者による無線ＬＡＮ接続を防止することができる。これにより、セキュリティを強化することが可能である。また、無線ＬＡＮアクセスポイント７０は、予約時間内かつ接続要求があったときにのみＳＳＩＤを含む電波を送出するため、共用スペースに利用者がいない間は電波を送出しない。したがって、消費電力を削減することが可能である。
【００９４】
なお、上記第２の実施形態では、利用者端末１０から接続要求があったときに、ＳＳＩＤ及びパスワードを有効にする場合について説明したが、上述した第１の実施形態のように、予約時間内においてＳＳＩＤとパスワードを有効にし、予約時間中はＳＳＩＤを含む電波を送出し続けてもよい。
【００９５】
《第３の実施形態》
次に、第３の実施形態について、図２１〜図２４（ｂ）に基づいて詳細に説明する。なお、本第３の実施形態の無線制御システム１００の装置構成及び各装置の機能は、第１の実施形態と同様であるが、一部処理が第１の実施形態と異なっている。
【００９６】
図２１には、第３の実施形態の処理の概要が示されている。図２１に示すように、本第３の実施形態の無線制御システム１００においては、以下の処理が実行される。
【００９７】
（１）  利用者が利用者端末１０から利用者登録を行う際に、予約管理サーバ２０は利用者の個人用のＳＳＩＤとパスワードを登録する。ここで、本第３の実施形態では、利用者ＤＢとして、第１の実施形態の利用者ＤＢ３２に代えて、図２２に示すような利用者ＤＢ１３２を用いるものとする。図２２の利用者ＤＢ１３２には、図６（ａ）の利用者ＤＢ３２の各フィールドに加えて、「ＳＳＩＤ」と「ＰＷ（パスワード）」のフィールドが設けられている。
（２）  次いで、利用者が利用者端末１０に共用スペースの予約情報を入力すると、予約管理サーバ２０が、共用スペースの予約情報を予約ＤＢ３６に登録する。
（３）  次いで、予約管理サーバ２０は、予約情報と、利用者の個人用のＳＳＩＤ及びパスワードをコントローラ５０に通知する。コントローラ５０では、予約管理サーバ２０から通知された情報を予約ＤＢ６２に格納する。
【００９８】
なお、本第３の実施形態では、利用者がＳＳＩＤとパスワードを設定しているため、予約管理サーバ２０は、（３）の後にＳＳＩＤ及びパスワードを利用者端末１０に通知する処理（図４の（４）の処理）は実行しないものとする。
【００９９】
なお、これ以降の処理（（５）〜（８）の処理）については、第１の実施形態と同様となっている。
【０１００】
（予約管理サーバ２０の処理について）
次に、予約管理サーバ２０による、利用者登録処理（図２１の（１）の処理）と予約登録処理（図２１の（２）、（３）の処理）について、図２３、図２４（ａ）、図２４（ｂ）のフローチャートに沿って説明する。
【０１０１】
（利用者登録処理）
以下、図２３に基づいて、利用者登録処理について説明する。図２３の処理では、まずステップＳ２０２において、予約登録部２２が、氏名、予約管理サーバ用のログインＩＤ、ログインパスワードの入力を受け付ける。この場合、利用者は、利用者端末１０の表示部９３に利用者登録画面を表示し、氏名やログインＩＤ、ログインパスワードを入力するため、予約登録部２２は、入力された情報を取得する。予約登録部２２は、情報を取得した後、個人用ＳＳＩＤとパスワードの入力用画面を利用者端末１０に送信する。
【０１０２】
次いで、ステップＳ２０４では、予約登録部２２が、無線ＬＡＮアクセスポイント接続用の個人用ＳＳＩＤとパスワードの入力を受け付ける。この場合、利用者は、利用者端末１０の表示部９３に表示された入力用画面に、個人用ＳＳＩＤ、パスワードを入力するので、予約登録部２２は、入力用画面に入力された情報を取得する。
【０１０３】
次いで、ステップＳ２０６では、予約登録部２２が、入力情報がＯＫか否かを判断する。例えば、ステップＳ２０２やステップＳ２０４で入力された情報が既に利用者ＤＢ１３２に登録されている情報と重複しているなど問題があった場合には、ステップＳ２０６の判断は否定され、ステップＳ２０２に戻る。なお、ステップＳ２０２に戻る際に、予約登録部２２は、エラー等のメッセージを表示するとともに、利用者に再入力を促す画面を表示するものとする。一方、入力された情報に問題が無く、ステップＳ２０６の判断が肯定された場合には、ステップＳ２０８に移行する。
【０１０４】
ステップＳ２０８に移行すると、予約登録部２２は、入力された情報を利用者ＤＢ１３２に保存する。これにより、図２３の全処理が終了する。
【０１０５】
（予約登録処理）
次に、図２４（ａ）、図２４（ｂ）に基づいて、予約登録処理について説明する。図２４（ａ）の処理のうち、ステップＳ２２０〜Ｓ２２６までの処理は、第１の実施形態（図８の処理）と同様となっている。すなわち、Ｓ２２０〜Ｓ２２６までの処理により、ログイン処理と予約情報の登録処理が完了し、次のステップＳ２２８に移行する。
【０１０６】
ステップＳ２２８に移行すると、コントローラ連携部２４が、コントローラ連携処理として、図２４（ｂ）の処理を実行する。具体的には、図２４（ｂ）に示すように、ステップＳ２４０において、コントローラ連携部２４は、ステップＳ２２６で予約ＤＢ３６に登録された予約情報と、利用者ＤＢ１３２に格納されている個人用のＳＳＩＤ及びパスワードをコントローラ５０（予約情報受付部５２）に送信する。次いで、ステップＳ２４２では、コントローラ連携部２４が、送信できたか否かを判断する。このステップＳ２４２の判断が否定された場合には、ステップＳ２４０に戻るが、肯定された場合には、図２４（ａ）のステップＳ２３２に移行する。なお、ステップＳ２４０、Ｓ２４２（否定）が所定回数以上繰り返された場合には、エラーが発生したとして、図２４（ａ）、図２４（ｂ）の処理を強制終了してもよい。
【０１０７】
ステップＳ２３２に移行すると、予約登録部２２は、利用者端末１０からログアウト要求があるまで待機する。そして、利用者端末１０からログアウト要求があると、予約登録部２２は、利用者端末１０のログアウト処理を行ったうえで、図２４（ａ）の全処理を終了する。
【０１０８】
以上、説明したように、本第３の実施形態によると、利用者が個人用のＳＳＩＤとパスワードを設定するため、コントローラ５０が予約情報に対してＳＳＩＤやパスワードを設定し、予約管理サーバ２０に通知する処理を省略することができる。また、本第３の実施形態では、ＳＳＩＤとパスワードを利用者が設定するため、利用者へのＳＳＩＤとパスワードの通知が不要となる。ただし、これに限らず、予約管理サーバ２０は、利用者による予約が行われた際に、利用者にＳＳＩＤとパスワードを通知することとしてもよい。
【０１０９】
なお、上記第３の実施形態では、利用者が個人用のＳＳＩＤやパスワードを入力して設定する場合について説明したが、これに限られるものではない。例えば、利用者登録処理において、予約管理サーバ２０が個人用のＳＳＩＤとパスワードを生成して、利用者に紐づけて利用者ＤＢ１３２に登録することとしてもよい。
【０１１０】
なお、上記第３の実施形態は、第１の実施形態をベースとして、利用者登録処理において個人用のＳＳＩＤやパスワードを利用者ＤＢ１３２に登録する場合について説明したが、これに限られるものではない。すなわち、上記第２の実施形態をベースとして、利用者登録処理において個人用のＳＳＩＤやパスワードを利用者ＤＢ１３２に登録することとしてもよい。
【０１１１】
なお、上記第１〜第３の実施形態では、共用スペースがレンタルオフィス等である場合について説明したが、これに限られるものではない。共用スペースは、例えばホテルのロビーやラウンジ、部屋などであってもよい。この場合、宿泊者のみ宿泊日に限り、無線ＬＡＮへの接続を許可することができる。また、共用スペースは、利用者が乗車する飛行機や新幹線などの乗り物であってもよい。この場合、搭乗者のみ搭乗時間に限り、無線ＬＡＮへの接続を許可することができる。
【０１１２】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１１３】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１１４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１５】
上述した実施形態は本発明の好適な実施の例である。但し、これに限定されるものではなく、本発明の要旨を逸脱しない範囲内において種々変形実施可能である。
【０１１６】
なお、以上の第１〜第３の実施形態の説明に関して、更に以下の付記を開示する。
（付記１）  共用スペースで利用可能な無線ＬＡＮ（Local Area Network）のアクセスポイントと、前記共用スペースの予約情報に基づいて前記アクセスポイントに制御情報を通知する制御装置と、を備える無線制御システムであって、
利用者による前記共用スペースの予約情報を取得する取得部と、
前記予約情報で特定される共用スペースで利用可能なアクセスポイントを識別するための識別情報を特定する特定部と、を有し、
前記予約情報で特定される共用スペースで利用可能なアクセスポイントは、前記予約情報で特定される時間に、前記特定部が特定した前記識別情報を送信する、ことを特徴とする無線制御システム。
（付記２）  前記利用者が利用する端末と接続され、前記端末からの前記予約情報の入力を受け付ける予約受付装置を更に備え、
前記予約受付装置は、前記特定部が特定した前記識別情報及び該識別情報に対応するパスワードを前記端末に通知する、ことを特徴とする付記１に記載の無線制御システム。
（付記３）  前記制御装置は、前記予約情報で特定される共用スペースで利用可能なアクセスポイントに対して、前記予約情報で特定される時間に、前記特定部が特定した前記識別情報を送信させるための指示情報を通知する、ことを特徴とする付記１又は２に記載の無線制御システム。
（付記４）  前記制御装置は、前記予約情報で特定される共用スペースで利用可能なアクセスポイントに対して、前記予約情報で特定される時間に、前記特定部が特定した前記識別情報を送信すべきことを示すスケジュール情報を通知し、
前記アクセスポイントは、前記スケジュール情報に基づいて、前記特定部が特定した前記識別情報を送信する、ことを特徴とする付記１又は２に記載の無線制御システム。
（付記５）  前記アクセスポイントは、前記利用者が利用する端末から前記識別情報を用いた接続要求があり、接続要求があった時刻が前記予約情報で特定される時間内である場合に、前記特定部が特定した前記識別情報を送信する、ことを特徴とする付記４に記載の無線制御システム。
（付記６）  前記特定部は、前記利用者が設定した識別情報又は予約情報に対して自動付与した識別情報を特定する、ことを特徴とする付記１〜５のいずれかに記載の無線制御システム。
（付記７）  利用者による共用スペースの予約情報を取得する取得部と、
前記予約情報で特定される前記共用スペースで利用可能な無線ＬＡＮ（Local Area Network）のアクセスポイントを識別するための識別情報を特定する特定部と、
前記予約情報で特定されるアクセスポイントに対して、前記予約情報で特定される時間に、前記特定部が特定した前記識別情報を送信させるための指示情報を通知する通知部と、を備える制御装置。
（付記８）  利用者による共用スペースの予約情報を取得する取得部と、
前記予約情報で特定される前記共用スペースで利用可能な無線ＬＡＮ（Local Area Network）のアクセスポイントを識別するための識別情報を特定する特定部と、
前記予約情報で特定されるアクセスポイントに対して、前記予約情報で特定される時間に、前記特定部が特定した前記識別情報を送信すべきことを示すスケジュール情報を通知する通知部と、を備える制御装置。
（付記９）  利用者による共用スペースの予約情報を取得し、
前記予約情報で特定される前記共用スペースで利用可能な無線ＬＡＮ（Local Area Network）のアクセスポイントを識別するための識別情報を特定し、
前記予約情報で特定されるアクセスポイントに対して、前記予約情報で特定される時間に、特定した前記識別情報を送信させるための指示情報を通知する、処理をコンピュータが実行することを特徴とする無線制御方法。
（付記１０）  利用者による共用スペースの予約情報を取得し、
前記予約情報で特定される前記共用スペースで利用可能な無線ＬＡＮ（Local Area Network）のアクセスポイントを識別するための識別情報を特定し、
前記予約情報で特定されるアクセスポイントに対して、前記予約情報で特定される時間に、特定した前記識別情報を送信すべきことを示すスケジュール情報を通知する、処理をコンピュータが実行することを特徴とする無線制御方法。
（付記１１）  前記特定する処理で特定した前記識別情報及び該識別情報に対応するパスワードを端末に通知する、処理を前記コンピュータが更に実行することを特徴とする付記９又は１０に記載の無線制御方法。
（付記１２）  前記特定する処理では、前記利用者が設定した識別情報又は予約情報に対して自動付与した識別情報を特定する、ことを特徴とする付記９〜１１のいずれかに記載の無線制御方法。
【符号の説明】
【０１１７】
２０  予約管理サーバ（予約受付装置）
５０  コントローラ（制御装置）
５２  予約情報受付部（取得部、特定部）
７０  無線ＬＡＮアクセスポイント（アクセスポイント）
１００  無線制御システム
【図１】
2020137004.tif 000003
【図２】
2020137004.tif 000004
【図３】
2020137004.tif 000005
【図４】
2020137004.tif 000006
【図５】
2020137004.tif 000007
【図６】
2020137004.tif 000008
【図７】
2020137004.tif 000009
【図８】
2020137004.tif 000010
【図９】
2020137004.tif 000011
【図１０】
2020137004.tif 000012
【図１１】
2020137004.tif 000013
【図１２】
2020137004.tif 000014
【図１３】
2020137004.tif 000015
【図１４】
2020137004.tif 000016
【図１５】
2020137004.tif 000017
【図１６】
2020137004.tif 000018
【図１７】
2020137004.tif 000019
【図１８】
2020137004.tif 000020
【図１９】
2020137004.tif 000021
【図２０】
2020137004.tif 000022
【図２１】
2020137004.tif 000023
【図２２】
2020137004.tif 000024
【図２３】
2020137004.tif 000025
【図２４】
2020137004.tif 000026